Podtech/llm-jp-corpus-v4-ja_patent huggingface dataset:
【手続補正書】
【提出日】令和2年6月25日(2020.6.25)
【手続補正１】
【補正対象書類名】特許請求の範囲
【補正対象項目名】全文
【補正方法】変更
【補正の内容】
【特許請求の範囲】
【請求項１】
半導体層内のトランジスタであって、酸化物層を覆い、前記半導体層内に第1のソース/ドレイン領域およびボディ領域を含む、トランジスタと、
前記トランジスタの前記第1のソース/ドレイン領域に結合された、隆起したソース/ドレイン領域であって、前記酸化物層を通して前記酸化物層を支持するように配置された誘電体層の方に延びる、隆起したソース/ドレイン領域と、
前記トランジスタの前記ボディ領域に結合された隆起したボディ領域であって、前記酸化物層を通して前記誘電体層の中に延び、前記隆起したボディ領域と前記隆起したソース／ドレイン領域とが、前記酸化物層を介して分離された、隆起したボディ領域と、
前記トランジスタの前記隆起したソース/ドレイン領域および/または前記隆起したボディ領域に結合された金属被覆とを備える、集積回路構造。
【請求項２】
前記隆起したソース/ドレイン領域が、エピタキシャルに成長した半導体材料から構成される、請求項1に記載の集積回路構造。
【請求項３】
前記トランジスタの第2のソース/ドレイン領域に結合された第2の金属被覆をさらに備え、前記第2の金属被覆が前記隆起したソース/ドレイン領域に結合された前記金属被覆から遠位にある、請求項1に記載の集積回路構造。
【請求項４】
前記第2の金属被覆が、前記トランジスタの前記第2のソース/ドレイン領域上の接点に結合された配線工程(BEOL)相互接続を備え、前記BEOL相互接続が第2の誘電体層内部にある、請求項3に記載の集積回路構造。
【請求項５】
前記隆起したソース/ドレイン領域が、前記トランジスタの前記第1のソース/ドレイン領域のドーパントとは異なるドーパントでドープされる、請求項1に記載の集積回路構造。
【請求項６】
前記隆起したソース/ドレイン領域が、前記トランジスタの前記第1のソース/ドレイン領域と自己整合される、請求項1に記載の集積回路構造。
【請求項７】
無線周波数(RF)フロントエンドモジュールに組み込まれ、前記RFフロントエンドモジュールが、音楽プレーヤ、ビデオプレーヤ、エンターテインメントユニット、ナビゲーションデバイス、通信デバイス、携帯情報端末(PDA)、固定ロケーションデータユニット、モバイル電話、およびポータブルコンピュータのうちの少なくとも1つに組み込まれる、請求項1に記載の集積回路構造。
【請求項８】
集積回路構造を構築する方法であって、
絶縁層に接触する半導体層を使用してトランジスタを製作するステップであって、前記トランジスタがゲート、ソース/ドレイン領域、およびボディ領域を含む、ステップと、
マスクとして前記ゲートを使用して、少なくとも、前記絶縁層を支持し且つ前記絶縁層に接触する誘電体層内に、イオンを注入するステップであって、前記集積回路構造のトランジスタ側から実行される、ステップと、
前記第1の誘電体層内の注入された欠陥に従って前記誘電体層をパターニングするステップであって、前記注入された欠陥が、前記トランジスタの前記ソース/ドレイン領域に近接する、ステップと、
前記ソース/ドレイン領域を前記誘電体層および前記絶縁層を通して露出させるステップと、
前記トランジスタの前記ソース/ドレイン領域に結合された隆起したソース/ドレイン領域を製作するステップであって、前記隆起したソース/ドレイン領域が、前記ソース/ドレイン領域から前記誘電体層の方に延びる、ステップと、
前記トランジスタの前記隆起したソース/ドレイン領域に結合された金属被覆を製作するステップとを含む、方法。
【請求項９】
前記隆起したソース/ドレイン領域を製作するステップが、前記トランジスタの前記第1のソース/ドレイン領域上に半導体層を選択的に成長させるステップを含む、請求項8に記載の方法。
【請求項１０】
前記隆起したソース/ドレイン領域を形成するために前記半導体層をアニールするステップをさらに含む、請求項9に記載の方法。
【請求項１１】
前記隆起したソース/ドレイン領域上にシリサイドを堆積させるステップと、
前記シリサイドおよび前記第1の誘電体層の上に第2の誘電体層を堆積させるステップとをさらに含む、請求項8に記載の方法。
【請求項１２】
前記隆起したソース/ドレイン領域を製作するステップが、前記ソース/ドレイン領域の露出部分の上に半導体層を堆積させるステップを含む、請求項8に記載の方法。
【請求項１３】
前記集積回路構造を無線周波数(RF)フロントエンドモジュールに組み込まれるステップであって、前記RFフロントエンドモジュールが、音楽プレーヤ、ビデオプレーヤ、エンターテインメントユニット、ナビゲーションデバイス、通信デバイス、携帯情報端末(PDA)、固定ロケーションデータユニット、モバイル電話、およびポータブルコンピュータのうちの少なくとも1つに組み込まれる、ステップをさらに含む、請求項8に記載の方法。
【請求項１４】
請求項1に記載の集積RF回路構造と、
前記トランジスタの出力に結合されたアンテナとを備える、無線周波数(RF)フロントエンドモジュール。
【手続補正書】
【提出日】令和2年6月19日(2020.6.19)
【手続補正１】
【補正対象書類名】特許請求の範囲
【補正対象項目名】全文
【補正方法】変更
【補正の内容】
【特許請求の範囲】
【請求項１】
金属ホウ化物素材を含有するエミッタを備え、
上記エミッタが、少なくとも部分的に丸みのある端部を有する円錐台部分であって切り取られた球形状を含み、その丸みのある端部は、曲がった外表面までの１μｍ以下の半径を有する装置。
【請求項２】
請求項１に記載の装置であって、上記金属ホウ化物素材に、アルカリ金属、アルカリ土類金属、遷移金属、ランタニド及びアクチニドからなるリストから選定された種が含まれる装置。
【請求項３】
請求項１に記載の装置であって、上記金属ホウ化物素材が金属六ホウ化物素材である装置。
【請求項４】
請求項１に記載の装置であって、上記金属ホウ化物素材にＬａＢ６が含まれる装置。
【請求項５】
請求項１に記載の装置であって、上記エミッタが１ｍｍ２未満の放出エリアを有する装置。
【請求項６】
請求項１に記載の装置であって、上記金属ホウ化物素材が＜１００＞なる結晶方位を有する装置。
【請求項７】
請求項１に記載の装置であって、上記半径が７００ｎｍ以下である装置。
【請求項８】
請求項１に記載の装置であって、上記半径が４５０ｎｍ以下である装置。
【請求項９】
請求項１に記載の装置であって、上記半径が１００ｎｍ以下である装置。
【請求項１０】
請求項１に記載の装置であって、上記少なくとも部分的に丸みのある端部が、平坦な放出ファセットを有する装置。
【請求項１１】
請求項１に記載の装置であって、上記エミッタが１μｍ２未満の放出エリアを有する装置。
【請求項１２】
金属ホウ化物素材を含有するエミッタであり、少なくとも部分的に丸みのある端部を有する円錐台部分であって切り取られた球形状を含み、その丸みのある端部は、曲がった外表面までの１μｍ以下の半径を有するエミッタを、準備するステップと、
上記エミッタに電界を印加するステップと、
上記エミッタから電子ビームを発生させるステップと、
を有する方法。
【請求項１３】
請求項１２に記載の方法であって、上記発生が極低温（クライオジェニック）電界放出モードで起こる方法。
【請求項１４】
請求項１２に記載の方法であって、上記発生が室温電界放出モードで起こる方法。
【請求項１５】
請求項１２に記載の方法であって、上記発生が暖温電界放出モードで起こり、その暖温電界放出モードが周囲より高く且つ１０００Ｋ未満の温度で動作する方法。
【請求項１６】
請求項１２に記載の方法であって、上記発生が熱電界モードで起こる方法。
【請求項１７】
請求項１２に記載の方法であって、上記発生がフォトカソードモードで起こる方法。
【請求項１８】
請求項１２に記載の方法であって、上記発生が１０−９Ｔｏｒｒ以下の動作圧で起こる方法。
【請求項１９】
請求項１２に記載の方法であって、上記発生が１０−１１Ｔｏｒｒ以下の動作圧で起こる方法。
【請求項２０】
単結晶ロッドから素材を除去することで、金属ホウ化物素材を含有するエミッタを形成するステップを有し、
そのエミッタが、少なくとも部分的に丸みのある端部を有する円錐台部分であって切り取られた球形状を含み、その丸みのある端部は、曲がった外表面までの１μｍ以下の半径を有する方法。
【手続補正書】
【提出日】令和2年6月11日(2020.6.11)
【手続補正１】
【補正対象書類名】特許請求の範囲
【補正対象項目名】全文
【補正方法】変更
【補正の内容】
【特許請求の範囲】
【請求項１】
熱電テープであって、
複数のビアを有する可撓性基材と、
前記可撓性基材と一体化され並列に接続された一連の可撓性熱電モジュールであって、各可撓性熱電モジュールが、
複数のｐ型熱電素子と、
複数のｎ型熱電素子と、を備え、前記複数のｐ型熱電素子のうちの少なくとも一部がｎ型熱電素子に接続されている、一連の可撓性熱電モジュールと、
前記熱電テープに沿って長手方向に走る２つの導電性バスであって、前記一連の可撓性熱電モジュールは前記導電性バスに電気接続されている、２つの導電性バスと、
前記可撓性基材の表面上に配置された熱伝導性接着剤層と、
を備える、熱電テープ。
【請求項２】
前記熱電テープに沿って長手方向に配置された断熱材料のストライプを更に備える、請求項１に記載の熱電テープ。
【請求項３】
前記熱電テープに沿って長手方向に配置された２つの断熱材料のストライプであって、前記２つの断熱材料のストライプの各々は、前記熱電テープの縁部に配置されている、２つの断熱材料のストライプを更に備える、請求項１に記載の熱電テープ。
【請求項４】
前記熱電テープがロールの形態である、請求項１に記載の熱電テープ。
【請求項５】
各熱電モジュールが前記複数のｐ型及びｎ型熱電素子のうちの１つとビアとの間に配置された接合構成要素を更に備える、請求項１に記載の熱電テープ。
【請求項６】
前記可撓性基材の第１の面上に配置された第１の導電性層を更に備え、前記第１の導電性層は第１のセットのコネクタを形成するパターンを有する、請求項１に記載の熱電テープ。
【請求項７】
前記第１の面とは反対向きの前記可撓性基材の第２の面上に配置された第２の導電性層を更に備え、前記第２の導電性層は第２のセットのコネクタを形成するパターンを有する、請求項６に記載の熱電テープ。
【請求項８】
前記熱電テープの単位面積熱抵抗が、１．０Ｋ−ｃｍ２／Ｗ以下である、請求項１に記載の熱電テープ。
【手続補正書】
【提出日】令和2年6月12日(2020.6.12)
【手続補正１】
【補正対象書類名】特許請求の範囲
【補正対象項目名】全文
【補正方法】変更
【補正の内容】
【特許請求の範囲】
【請求項１】
第１の表面と、反対側を向いた第２の表面とを有する可撓性基材を準備する工程と、
第１のパターン化された導電性層を前記可撓性基材の前記第１の表面に適用する工程であって、前記第１の導電性層のパターンは、第１のアレイのコネクタを形成し、各コネクタは２つの端部を有する、第１の表面に適用する工程と、
可撓性基材から材料を除去することにより、複数のビアを前記可撓性基材上に生成する工程であって、前記ビアのうちの少なくとも一部は、第１のアレイのコネクタの端部に対応して位置させられる、生成する工程と、
前記ビアのうちの少なくとも一部に熱電材料を充填する工程と、
第２のパターン化された導電性層を前記可撓性基材の前記第２の表面に適用する工程であって、前記第２の導電性層のパターンは、第２のアレイのコネクタを形成し、各コネクタは２つの端部を有し、前記第２のアレイのコネクタの前記端部のうちの少なくとも一部は、前記ビアのうちの少なくとも一部に対応して位置させられる、前記第２の表面に適用する工程と、
を含むプロセスにより作製されるフレキシブル熱電モジュール。
【請求項２】
前記熱電材料は、バインダー材料を含む、請求項１に記載のフレキシブル熱電モジュール。
【請求項３】
前記熱電モジュールを加熱して、前記バインダー材料を除去する工程を前記プロセスが更に含む、請求項２に記載のフレキシブル熱電モジュール。
【請求項４】
熱伝導性接着剤材料を前記第２のパターン化された導電性層上に適用する工程を前記プロセスが更に含む、請求項１に記載のフレキシブル熱電モジュール。
【請求項５】
前記可撓性熱電モジュールの単位面積熱抵抗が、１．０Ｋ−ｃｍ２／Ｗ以下である、請求項１に記載のフレキシブル熱電モジュール。
【請求項６】
第１の表面と、反対側を向いた第２の表面とを有する可撓性基材を準備する工程と、
第１のパターン化された導電性層を前記可撓性基材の前記第１の表面に適用する工程であって、前記第１の導電性層のパターンは、第１のアレイのコネクタを形成し、各コネクタは２つの端部を有する、第１の表面に適用する工程と、
可撓性基材から材料を除去することにより、複数のビアを前記可撓性基材上に生成する工程であって、前記ビアのうちの少なくとも一部は、第１のアレイのコネクタの端部に対応して位置させられる、生成する工程と、
前記ビアのうちの少なくとも一部に導電性材料を充填する工程と、
熱電素子を前記基材の前記第２の表面上に、前記ビアと位置合わせして配設する工程と、
第２のパターン化された導電性層を前記熱電素子の頂部上に印刷する工程であって、前記第２の導電性層のパターンは、第２のアレイのコネクタを形成し、各コネクタは２つの端部を有し、前記第２のアレイのコネクタの前記端部のうちの少なくとも一部は、前記熱電素子のうちの少なくとも一部に対応して位置させられる、印刷する工程と、
を含むプロセスにより作製されるフレキシブル熱電モジュール。
【請求項７】
前記熱電素子のうちの少なくとも１つは、バインダー材料を含む、請求項６に記載のフレキシブル熱電モジュール。
【請求項８】
前記熱電モジュールを加熱して、前記バインダー材料を除去する工程を前記プロセスが更に含む、請求項７に記載のフレキシブル熱電モジュール。
【請求項９】
熱伝導性接着剤材料を前記第１又は第２の導電性層上に適用する工程を前記プロセスが更に含む、請求項６に記載のフレキシブル熱電モジュール。
【手続補正書】
【提出日】令和2年6月19日(2020.6.19)
【手続補正１】
【補正対象書類名】特許請求の範囲
【補正対象項目名】全文
【補正方法】変更
【補正の内容】
【特許請求の範囲】
【請求項１】
ハウジングと、
前記ハウジングの内部空間において、気密状態で配置された燃料電池装置と、
上流開口部と下流開口部とを有する気体送出ダクトと、
前記内部空間と前記ダクトとを、少なくとも気体の送出時に接続するように設けられたバルブと、
前記ダクト内の気体を前記上流開口部から前記下流開口部に向けて移動させる駆動装置と、
前記バルブから始まる前記ダクトの下流方向に配置されて前記気体のパラメータのうちの少なくとも１つを検出するセンサ装置と、
を備えることを特徴とする発電ユニット。
【請求項２】
前記気体のパラメータのうちの少なくとも１つが、化学成分の量であることを特徴とする請求項１に記載の発電ユニット。
【請求項３】
前記ダクトが、前記燃料電池装置側に配置されることを特徴とする請求項１又は２に記載の発電ユニット。
【請求項４】
前記バルブが、少なくとも大部分の気体につき、前記内部空間から前記ダクトへの移動のみを許容する一方向弁であることを特徴とする請求項１から３のいずれか一項に記載の発電ユニット。
【請求項５】
前記バルブが、少なくとも大部分において気密性及び／又は液密性を持つ膜を有することを特徴とする請求項１から４のいずれか一項に記載の発電ユニット。
【請求項６】
前記駆動装置がファンを有し、前記駆動装置が当該ファンから形成されることを特徴とする請求項１から５のいずれか一項に記載の発電ユニット。
【請求項７】
前記駆動装置が、前記バルブから始まる前記ダクトの下流方向に配置されることを特徴とする請求項１から６のいずれか一項に記載の発電ユニット。
【請求項８】
さらに、前記センサ装置及び前記燃料電池装置に信号伝達可能な形式で接続される制御装置を備え、前記制御装置は、前記パラメータのうちの少なくとも１つが閾値を超えたとき、前記燃料電池装置に制御信号を送信するように構成されることを特徴とする請求項１から７のいずれか一項に記載の発電ユニット。
【請求項９】
前記制御装置は、前述の前記閾値を超える事象が発生したとき、前記燃料電池装置をシャットオフするように構成されることを特徴とする請求項８に記載の発電ユニット。
【請求項１０】
さらに、電子モジュールを備え、
前記電子モジュールは、前記ハウジング内において、前記燃料電池装置と対向する前記ダクト側に設けられることを特徴とする請求項１から９のいずれか一項に記載の発電ユニット。
【請求項１１】
前記電子モジュールは、変圧器を有することを特徴とする請求項１０に記載の発電ユニット。
【請求項１２】
前記電子モジュールは、少なくとも１つの冷却要素を有することを特徴とする請求項１０又は１１に記載の発電ユニット。
【請求項１３】
前記発電ユニットが複数のバルブを備え、
前記センサ装置が前記流れ方向から見て最後のバルブから始まる前記ダクトの下流方向に配置されることを特徴とする請求項１から１２のいずれか一項に記載の発電ユニット。
【請求項１４】
前記燃料電池装置が改質器を備えることを特徴とする請求項１から１３のいずれか一項に記載の発電ユニット。
【請求項１５】
請求項１から１４のいずれか一項に記載の発電ユニットを有することを特徴とする車両。
【請求項１６】
さらに、燃料を供給する燃料貯蔵部を備え、
前記燃料は、前記燃料装置の動作のために少なくとも部分的に供給されることを特徴とする請求項１５に記載の車両。
【請求項１７】
発電ユニットの監視方法であって、
前記発電ユニットの燃料電池装置に沿って気体送出ダクト内に気体を導入し、
気体送出が可能となるように、前記燃料電池装置の内部空間と前記ダクトとをバルブを介して接続し、
前記バルブから始まる前記ダクトの下流方向に設けられたセンサ装置により、前記気体のパラメータのうちの少なくとも１つを検出し、
前記検出したパラメータのうちの１つを、制御装置に格納された閾値と比較し、
前記少なくとも１つのパラメータが前記閾値を超える場合、前記燃料電池装置をシャットダウンする、
ことを特徴とする発電ユニットの監視方法。
【請求項１８】
さらに、電子モジュールに沿って気体送出ダクト内に気体を導入することを特徴とする請求項１７に記載の方法。
【手続補正２】
【補正対象書類名】明細書
【補正対象項目名】００１９
【補正方法】変更
【補正の内容】
【００１９】
燃料電池の動作は、還元と酸化が、特にアノードと電解質との間、あるいは電解質とカソードとの間の境界において、物理的に別々に生じる酸化還元反応に基づく。ＳＯＦＣの場合、酸化還元反応は、酸素と燃料（具体的には、水素や一酸化炭素）との反応となる。存在する酸素は燃料（例えば水素）と即座に反応するため、カソード側は酸素過多な状態が好ましい一方、アノード側は酸素が不足する。そして、この濃度勾配に起因して、酸素がカソードからアノードへと拡散する。ただし、両者の間に存する電解質は酸素イオンのみを透過させるものであるため、酸素分子はカソードと電解質との間の境界で電子を２つ取得する。これにより、当該酸素分子が酸素イオンとなって境界を通過できるようになる。酸素イオンがアノードとの境界に到達すると、燃料ガスと触媒的に反応して熱及び対応する燃焼生成物を明け渡すと共に、２つの追加的電子[sic]をアノードに放棄する。その要件は、導電的に接続された異なるシステムの動作に用いられる電流を発生させるアノードとカソードとの間の導電接続である。
【手続補正書】
【提出日】令和2年7月17日(2020.7.17)
【手続補正１】
【補正対象書類名】特許請求の範囲
【補正対象項目名】全文
【補正方法】変更
【補正の内容】
【特許請求の範囲】
【請求項１】
電気ケーブルの長さ方向に沿って延在する実質的に平行な複数の絶縁導体を含む電気ケーブルであって、
各絶縁導体は、絶縁層によって被覆された導電性の内部導体を含み、
前記複数の絶縁導体における少なくとも１つの絶縁導体の絶縁層は、前記複数の絶縁導体における少なくとも１つの他の絶縁導体の絶縁層から分離されており、
前記絶縁層による被覆は、前記電気ケーブルが平らに置かれて前記電気ケーブルの互いに反対側を向いた主たる上面及び主たる底面を規定する時、前記複数の絶縁導体のうちの少なくとも１つの絶縁導体に関して、前記少なくとも１つの絶縁導体の前記内部導体のより長い第１部分が前記電気ケーブルの前記上面上に露出されるように、かつ、前記少なくとも１つの絶縁導体の前記内部導体のより短い第２部分が前記電気ケーブルの前記底面上に露出されるように行われ、
前記より長い第１部分は、前記より短い第２部分と少なくとも部分的に重なっており、
前記内部導体は、この内部導体の露出された前記より長い第１部分の箇所において、導電性の整合導体と整合するよう構成されている、電気ケーブル。
【請求項２】
露出された前記より長い第１部分は、露出された前記より短い第２部分と完全に重なっている、請求項１に記載の電気ケーブル。
【請求項３】
前記少なくとも１つの絶縁導体は、前記電気ケーブルの同じ第１端部のところにある前記少なくとも１つの絶縁導体の第１端部と、前記電気ケーブルの反対側にある同じ第２端部のところにある前記少なくとも１つの絶縁導体の反対側にある第２端部との間において、前記電気ケーブルの長さ方向に沿って延在している、請求項１に記載の電気ケーブル。
【請求項４】
前記少なくとも１つの絶縁導体の前記内部導体の露出された前記より長い第１部分は、前記少なくとも１つの絶縁導体の前記第１端部を含んでいる、請求項３に記載の電気ケーブル。
【請求項５】
実質的に平行な前記複数の絶縁導体と実質的に同一の広がりを有する導電性シールドを更に含んでおり、各絶縁導体の周縁部の少なくとも７０％は、前記導電性シールドによって包囲されている、請求項１に記載の電気ケーブル。
【請求項６】
各絶縁導体は、前記導電性シールドによって取り巻かれている、請求項５に記載の電気ケーブル。
【請求項７】
電気ケーブルの長さ方向に沿って延在する実質的に平行な複数の絶縁導体を含む電気ケーブルであって、
各絶縁導体は、絶縁層によって被覆された導電性の内部導体を含み、
各絶縁導体の周縁部の少なくとも７０％は、実質的に同一の広がりを有する導電性シールドによって被覆されており、
前記絶縁層による被覆は、前記電気ケーブルが平らに置かれて前記電気ケーブルの互いに反対側を向いた主たる上面及び主たる底面を規定する時、各絶縁導体に関して、前記絶縁層の一部及び前記導電性シールドの一部が前記電気ケーブルの前記上面から除去されて前記絶縁導体の前記内部導体の一部が露出されるように、かつ、平面視において前記内部導体の前記露出部分の横方向の平均幅が前記内部導体の横方向の平均幅よりも狭いように行われ、
前記内部導体の前記露出部分は、前記電気ケーブルの同じ第１端部上に前記内部導体の第１端部を含み、
前記絶縁導体は、前記内部導体の前記露出部分の箇所において、導電性の整合導体と整合するよう構成されている、電気ケーブル。
【請求項８】
電気ケーブルの長さ方向に沿って延在する実質的に平行な複数の絶縁導体を含む電気ケーブルであって、
各絶縁導体は、同一の広がりを有する絶縁層によって被覆された導電性の内部導体と、各絶縁導体と実質的に同一の広がりを有して各絶縁導体を取り囲む導電性シールドと、を含んでおり、
前記絶縁層による被覆は、前記電気ケーブルが平らに置かれて前記電気ケーブルの互いに反対側を向いた主たる上面及び主たる底面を規定する時、各絶縁導体に関して、前記絶縁層の一部及び前記導電性シールドの一部が前記電気ケーブルの前記上面から除去されて前記絶縁導体の前記内部導体の一部が露出されるように、かつ、平面視において前記内部導体の露出部分の横方向の平均幅が前記内部導体の横方向の平均幅よりも狭いように行われ、
前記内部導体の前記露出部分は、前記電気ケーブルの同じ第１端部上に前記内部導体の第１端部を含み、
前記絶縁導体は、前記内部導体の前記露出部分の箇所において、導電性の整合導体と整合するよう構成されている、電気ケーブル。
【請求項９】
回路基板であって、この回路基板の主面上に配置された複数のコンタクトパッドを含む回路基板と、
請求項８に記載の電気ケーブルであって、各絶縁導体の前記内部導体の前記露出部分が、取付領域において、前記回路基板の対応するコンタクトパッドに取り付けられており、前記導電性シールドが除去されていない部分が前記取付領域を少なくとも部分的に遮蔽している、電気ケーブルと、
を含んでいる、電気ケーブルアセンブリ。
【請求項１０】
前記電気ケーブルの上方に配置された上方部分、及びこの上方部分から前記回路基板に向けて延出されかつ前記回路基板に取り付けられた少なくとも１つの側方部分を有するフレームと、
前記フレームの前記上方部分と前記電気ケーブルとの間に配置された少なくとも１つの特徴部材と、を更に含み、
前記少なくとも１つの特徴部材は、前記対応するコンタクトパッドと向かい合う前記電気ケーブルに対して圧力を印加することによって、各絶縁導体の前記内部導体の前記露出部分を、前記回路基板の前記対応するコンタクトパッドに取り付けるよう構成されている、請求項９に記載の電気ケーブルアセンブリ。
【請求項１１】
前記少なくとも１つの特徴部材は、少なくとも１つの柔軟性のある特徴部材を含んでいる、請求項１０に記載の電気ケーブルアセンブリ。
【手続補正書】
【提出日】令和2年6月1日(2020.6.1)
【手続補正１】
【補正対象書類名】特許請求の範囲
【補正対象項目名】全文
【補正方法】変更
【補正の内容】
【特許請求の範囲】
【請求項１】
ニューラルネットワークを訓練するように構成されたシステムであって、
１つ以上のコンピュータサブシステムと、
前記１つ以上のコンピュータサブシステムによって実行される１つ以上のコンポーネントを備え、前記１つ以上のコンポーネントが、
前記ニューラルネットワークに入力された試料の訓練セットにおける入力イメージの逆フィーチャを決定するように構成されたニューラルネットワークと、
前記逆フィーチャから入力イメージを再構築し、それによって訓練セットにおける入力イメージに対応する出力イメージのセットを生成するように構成された順物理モデルと、
訓練セットにおける入力イメージと、セットにおけるそれらの対応する出力イメージとの差を決定するように構成された残渣層と、
を備え、
前記１つ以上のコンピュータサブシステムは、ニューラルネットワークの１つ以上のパラメータを、決定された差に基づいて変更し、それによってニューラルネットワークを訓練するように構成されているシステム。
【手続補正書】
【提出日】令和2年7月14日(2020.7.14)
【手続補正１】
【補正対象書類名】特許請求の範囲
【補正対象項目名】全文
【補正方法】変更
【補正の内容】
【特許請求の範囲】
【請求項１】
医療デバイス品質を評価するための装置であって、前記装置は、
入力ユニットと、
処理ユニットと
を備え、
前記入力ユニットが、前記処理ユニットに、医療デバイスによって収集された少なくとも１つの医療画像に関連付けられた少なくとも１つの報告を提供し、報告が、対応する医療画像に関連付けられ、
前記処理ユニットが、前記少なくとも１つの報告を分析し、少なくとも１つの画像品質パラメータを生成するための分類器モジュールを実装し、画像品質パラメータが、対応する報告に関連付けられ、前記分類器モジュールが、前記少なくとも１つの画像品質パラメータを生成するために、前記少なくとも１つの報告に自然言語アルゴリズムを適用し、前記自然言語アルゴリズムが学習アルゴリズムを含み、前記学習アルゴリズムが、少なくとも１つのトレーニングデータに基づいて、画像品質パラメータのための値を生成し、前記少なくとも１つのトレーニングデータが、関連付けられた報告を有する医療画像から導出され、前記医療画像に関連付けられた問題点は、定量化又は検証されており、
前記処理ユニットが、前記少なくとも１つの画像品質パラメータを評価し、前記医療デバイスに関係する警報情報を生成するための評価モジュールを実装する、
装置。
【請求項２】
前記少なくとも１つの報告のうちの報告がテキストを含み、前記分類器モジュールが、画像品質パラメータを生成するために、前記テキストの少なくとも１つの部分を分析する、請求項１に記載の装置。
【請求項３】
前記分類器モジュールが、前記テキストの前記少なくとも１つの部分における画像品質問題点に基づいて、前記画像品質パラメータを生成する、請求項２に記載の装置。
【請求項４】
前記分類器モジュールが、複数のテキスト断片を含んでいるデータベースを使用し、前記分類器モジュールが、前記画像品質パラメータを生成するために、前記テキストの前記少なくとも１つの部分を、前記複数のテキスト断片のうちの少なくとも１つと比較する、請求項２又は３に記載の装置。
【請求項５】
前記少なくとも１つの報告が、複数の報告を含み、前記少なくとも１つの品質パラメータが、複数の品質パラメータを含み、前記評価モジュールが、前記複数の品質パラメータにおける決定された傾向に基づいて、警報情報を生成する、請求項１から４のいずれか一項に記載の装置。
【請求項６】
前記少なくとも１つの報告が、前記少なくとも１つの医療画像に基づいて、少なくとも１人のユーザによって生成されている、請求項１から５のいずれか一項に記載の装置。
【請求項７】
前記評価モジュールが、前記少なくとも１つの画像品質パラメータとしきい値との比較に基づいて、前記警報情報を生成する、請求項１から６のいずれか一項に記載の装置。
【請求項８】
前記少なくとも１つの報告が、複数の報告を含み、前記少なくとも１つの品質パラメータが、複数の品質パラメータを含み、前記評価モジュールは、前記複数の品質パラメータの数が前記しきい値を超えることに基づいて、前記警報情報を生成する、請求項７に記載の装置。
【請求項９】
医療デバイス警報を提供するためのシステムであって、前記システムは、
情報提供ユニットと、
医療デバイス品質を評価するための請求項１から８のいずれか一項に記載の装置と、
出力ユニットと
を備え、
前記少なくとも１つの報告が、前記情報提供ユニットから前記入力ユニットに提供され、
前記処理ユニットが、前記情報提供ユニットから提供された前記少なくとも１つの報告に基づいて、警報情報を生成し、
前記出力ユニットが、前記警報情報に基づいて、警報を出力する、
システム。
【請求項１０】
医療デバイス品質を評価するための方法であって、前記方法は、
ｂ）  医療デバイスによって収集された少なくとも１つの医療画像に関連付けられた少なくとも１つの報告を提供するステップであって、報告が、対応する医療画像に関連付けられる、提供するステップと、
ｃ）  学習アルゴリズムを含む自然言語処理アルゴリズムを前記少なくとも１つの報告に適用することと、少なくとも１つのトレーニングデータに基づいて、画像品質パラメータのための値を生成するために前記学習アルゴリズムを使用することとによって、前記少なくとも１つの報告を分析し、少なくとも１つの画像品質パラメータを生成するステップであって、前記画像品質パラメータが、対応する報告に関連付けられ、前記少なくとも１つのトレーニングデータが、関連付けられた報告を有する医療画像から導出され、前記医療画像に関連付けられた問題点は、定量化又は検証されている、分析し、生成するステップと、
ｄ）  前記少なくとも１つの画像品質パラメータを評価し、前記医療デバイスに関係する警報情報を生成するステップと
を有する、方法。
【請求項１１】
前記方法が、
ａ）  前記少なくとも１つの医療画像に基づいて、少なくとも１人のユーザによって前記少なくとも１つの報告を生成するステップ
を有する、請求項１０に記載の方法。
【請求項１２】
請求項１から９のいずれか一項に記載の装置を制御するためのコンピュータプログラムであって、プロセッサによって実行されたとき、請求項１０又は１１に記載の方法を行う、コンピュータプログラム。
【請求項１３】
請求項１２に記載のコンピュータプログラムを記憶した、コンピュータ可読媒体。
【手続補正書】
【提出日】令和2年3月10日(2020.3.10)
【手続補正１】
【補正対象書類名】明細書
【補正対象項目名】００３８
【補正方法】変更
【補正の内容】
【００３８】
次に、別の時間帯３０１の間、第２の部屋２１の内部で第２の長方形２１０により示された検知が行われている。第２の部屋２１内の検知２１０が生じると、システムはこれを考慮し、第１の部屋２１の通常の時間帯３００におけるモニタリングを停止する。このモニタリングは、次の期間３０２の間の検知２０１の時に再開される。その場合、この期間３０２の残りの部分に対しては制限時間に達するまで動きが一切検知されないことが確認される。制限時間の終了の時点で、この部屋を人１が通過する平均持続時間を前もって学習していたシステムは、潜在的に人の挙動に問題があることを知る。その場合、期間３０３で警告モードを始動可能であり、上記人１に上記信号で知らせる。上記期間３０３が過ぎても人１がまったく反応しない場合、システムは次の期間３０４に移行し、外部介在者６に向かって信号を送信する。
【手続補正２】
【補正対象書類名】明細書
【補正対象項目名】００４７
【補正方法】変更
【補正の内容】
【００４７】
補足的に、モニタリング中の第２の持続時間中は、第１の学習時間と同様に測定データを記録可能であり、これによって、すでに決定されたプロファイルとの平均をとる形態で、人１のプロファイルと、その人の組み合わせ可能な挙動との精度を上げることができ、あるいは、第１の持続時間と同様の持続時間にわたって少なくとも一つの別のプロファイルを決定し、最初に学習したプロファイルとこれを比較して、人１による各部屋２の使用習慣において場合によっては存在する逸脱を検知することができる。例として、シャワー時間の著しい延長あるいは人が起床する時間の一時的な遅れは、老化による減退を示すことがあり、もはや自宅ではなく管理施設で短期、中期または長期の支援が必要である。
【手続補正書】
【提出日】令和2年7月31日(2020.7.31)
【手続補正１】
【補正対象書類名】特許請求の範囲
【補正対象項目名】全文
【補正方法】変更
【補正の内容】
【特許請求の範囲】
【請求項１】
第１デバイスから第２デバイスへリンクを介して送信するためにアドレスを圧縮する方法であって、
前記第１デバイスにおいて、前記第２デバイス上のメモリ位置に対するメモリアドレスの要求であって、第１部分と第２部分とを含むメモリアドレスの要求を含むトランザクションをソースから受信することと、
前記メモリアドレスの第１部分が前記第１デバイスに配置されたキャッシュに記憶されているかどうかを判別することと、
前記メモリアドレスの第１部分が前記第１デバイスに配置されたキャッシュに記憶されていない場合に、前記メモリアドレスの第１部分を前記第１デバイスの前記キャッシュに記憶し、前記メモリアドレス全体と、前記第１部分の記憶に関する情報と、を前記第２デバイスに送信することと、
前記メモリアドレスの第１部分が前記第１デバイスに配置されたキャッシュに記憶されている場合に、前記メモリアドレスの第２部分のみと、前記メモリアドレスの第１部分が記憶されている前記第１デバイスの前記キャッシュのウェイを示す識別子と、を前記第２デバイスに送信することと、を含む、
方法。
【請求項２】
前記第２デバイスが、前記第１部分の記憶に関する情報を受信すると、前記第１部分の記憶に関する情報を、前記第２デバイスに配置されたキャッシュに記憶することをさらに含む、
請求項１の方法。
【請求項３】
前記第２デバイスが、前記メモリアドレスの第２部分と、前記メモリアドレスの第１部分が記憶されている前記第１デバイスの前記キャッシュのウェイを示す識別子と、を受信すると、
前記識別子に基づいて、前記第２デバイスに配置されたキャッシュから前記メモリアドレスの第１部分を読み出すことと、
前記メモリアドレス全体を再構成することと、をさらに含む、
請求項２の方法。
【請求項４】
前記再構成することは、前記第１部分と前記第２部分とを連結することを含む、
請求項３の方法。
【請求項５】
前記第１部分は、前記メモリアドレス全体の上位ビットを含むタグである、
請求項１の方法。
【請求項６】
前記タグを、前記第１デバイスに配置された前記キャッシュのテーブル内の場所であって、前記トランザクションを生成した前記ソースに関連付けられた場所に記憶することをさらに含む、
請求項５の方法。
【請求項７】
前記タグが記憶されているウェイに関連するテーブルに前記タグを記憶することをさらに含む、
請求項６の方法。
【請求項８】
前記タグは、前記テーブル内の行に記憶されており、前記行は、前記テーブル内の前記タグの記憶場所を示すインデックスによって識別されており、前記タグは、前記タグが記憶されているウェイに関連する列に記憶される、
請求項７の方法。
【請求項９】
１つ以上のインデックス行が、特定のソースに関連付けられている、
請求項８の方法。
【請求項１０】
前記ソースは、プロセッサ、又は、前記第１デバイスの入出力（Ｉ／Ｏ）デバイスのうち何れかを含む、
請求項９の方法。
【請求項１１】
インデックス行が、複数のウェイ列に関連付けられている、
請求項１０の方法。
【請求項１２】
トランザクションタイプが、プログラム実行スレッド、読み出し要求、書き込み要求のうち１つ以上を含む、
請求項１１の方法。
【請求項１３】
前記Ｉ／Ｏデバイスに関連する特定の行インデックスが、読み出し要求又は書き込み要求のうち１つ以上のトランザクションに関連付けられている、
請求項１０の方法。
【請求項１４】
第１リンクコントローラと、
前記第１リンクコントローラに動作可能に接続された第１キャッシュと、を備える装置であって、
前記第１リンクコントローラは、
第２装置上のメモリ位置に対するメモリアドレスの要求であって、第１部分と第２部分とを含むメモリアドレスの要求を含むトランザクションをソースから受信し、
前記メモリアドレスの第１部分が前記第１キャッシュに記憶されているかどうかを判別し、
前記メモリアドレスの第１部分が前記第１キャッシュに記憶されていない場合に、前記メモリアドレスの第１部分を前記第１キャッシュに記憶し、前記メモリアドレス全体と、前記第１部分の記憶に関する情報と、を前記第２装置に送信し、
前記メモリアドレスの第１部分が前記第１キャッシュに記憶されている場合に、前記メモリアドレスの第２部分のみと、前記メモリアドレスの第１部分が記憶されている前記第１キャッシュのウェイを示す識別子と、を前記第２装置に送信する、
装置。
【請求項１５】
第１リンクコントローラと、第１キャッシュと、第１プロセッサと、第１入出力（Ｉ／Ｏ）デバイスと、を含む第１デバイスと、
第２リンクコントローラと、第２キャッシュと、第２プロセッサと、第２入出力（Ｉ／Ｏ）デバイスと、を含む第２デバイスと、を備えるシステムであって、
前記第１リンクコントローラは、
前記第２デバイス上のメモリ位置に対するメモリアドレスの要求であって、第１部分と第２部分とを含むメモリアドレスの要求を含むトランザクションを、前記第１プロセッサ又は前記第１Ｉ／Ｏデバイスから受信し、
前記メモリアドレスの第１部分が前記第１キャッシュに記憶されているかどうかを判別し、
前記メモリアドレスの第１部分が前記第１キャッシュに記憶されていない場合に、前記メモリアドレスの第１部分を前記第１キャッシュに記憶し、前記メモリアドレス全体と、前記第１部分の記憶に関する情報と、を前記第２デバイスに送信し、
前記メモリアドレスの第１部分が前記第１キャッシュに記憶されている場合に、前記メモリアドレスの第２部分のみと、前記メモリアドレスの第１部分が記憶されている前記第１キャッシュのウェイを示す識別子と、を前記第２デバイスに送信し、
前記第２リンクコントローラは、
前記第１部分の記憶に関する情報を受信すると、前記第１部分の記憶に関する情報を前記第２キャッシュに記憶し、又は、
前記メモリアドレスの第２部分と、前記アドレスの第１部分が記憶されている前記第１キャッシュのウェイを示す識別子と、を受信すると、
前記第２デバイスに配置された前記第２キャッシュから前記メモリアドレスの第１部分を前記識別子に基づいて取り出し、
前記メモリアドレス全体を再構成する、
システム。
【手続補正書】
【提出日】令和1年12月11日(2019.12.11)
【手続補正１】
【補正対象書類名】特許請求の範囲
【補正対象項目名】全文
【補正方法】変更
【補正の内容】
【特許請求の範囲】
【請求項１】
コンピュータプログラムを生成するためのシステムであって、
説明文及び／またはグラフィカルシンボルを有する複数の、情報の物理的伝達部と、
デジタル画像を撮像するように構成された、画像撮像デバイスと、
表示スクリーンを有して、デジタル画像を処理して前記デジタル画像上の前記情報の物理的伝達部を認識して、前記情報の物理的伝達部の相互の配置を決定して、抽出された前記配置をコンピュータプログラムに変換するように構成された、コンピュータデバイスと、
を備え、
前記情報の物理的伝達部は、前記コンピュータデバイス内のコンピュータプログラムの要素と関連付けられる、長方形の対比マーカを有し、
前記コンピュータプログラムは、第１軸に沿って順次配置された、複数の前記情報の物理的伝達部を有し、
少なくとも１つの情報の物理的伝達部は、第２の軸に沿って、その側面で、情報の物理的伝達部を受けるように構成されていて、
前記コンピュータデバイスは、撮像された前記デジタル画像に、認識された各マーカの上部に示されるグラフィカルアイコンを重ね合わせて、組み合わされた前記デジタル画像を出力するように構成される、
システム。
【請求項２】
前記コンピュータプログラムの要素は、値か、変数か、関数か、関数の部分か、演算子か、表か、プログラミングライブラリか、オブジェクトか、クラスか、メソッドか、コマンドか、または命令である、
請求項１に記載のシステム。
【請求項３】
前記長方形の対比マーカは、マトリックスバーコードを形成する要素を有する、
請求項１または２に記載のシステム。
【請求項４】
前記情報の物理的伝達部は、陥没部または突出部の形で外周に延在する、少なくとも１つの接続ゾーンを有する、
請求項１から３のいずれか１項に記載のシステム。
【請求項５】
前記コンピュータデバイス及び前記画像撮像デバイスは、単一デバイスに統合されている、
請求項１から４のいずれか１項に記載のシステム。
【請求項６】
前記長方形の対比マーカは、正方形の形を有する、
請求項１に記載のシステム。
【請求項７】
前記長方形の対比マーカは、前記情報の物理的伝達部の中央からずれている、
請求項１または４に記載のシステム。
【請求項８】
表示スクリーンを有して、説明文及び／またはグラフィカルシンボルを有する複数の、情報の物理的伝達部と、画像撮像デバイスと、コンピュータデバイスとを備えるシステムを使用することで、コンピュータプログラムを生成するための方法であって、
前記画像撮像デバイスによって、前記情報の物理的伝達部の配置のデジタル画像を撮像する段階と、
撮像された前記デジタル画像を、前記コンピュータデバイスに転送する段階と、
前記コンピュータデバイスで、前記デジタル画像を処理する段階と、
前記コンピュータデバイスで、前記デジタル画像上の前記情報の物理的伝達部を認識する段階と、
前記コンピュータデバイスで、前記情報の物理的伝達部の相互の前記配置を決定する段階と、
前記コンピュータデバイスで、抽出された前記配置をコンピュータプログラムに変換する段階と、
備え、
前記情報の物理的伝達部は、前記コンピュータデバイス内のコンピュータプログラムの要素と関連付けられる長方形の対比マーカを有し、
前記コンピュータプログラムは、第１軸に沿って順次配置された、複数の前記情報の物理的伝達部を有し、
少なくとも１つの情報の物理的伝達部は、第２の軸に沿って、その側面で、情報の物理的伝達部を受けるように構成されていて、
前記方法は、前記長方形の対比マーカ及び前記長方形の対比マーカの頂点の座標を識別することで、前記デジタル画像を処理する段階と、
識別された前記長方形の対比マーカの頂点の前記座標に関するデータに基づいて、前記デジタル画像の遠近を修正することで、前記デジタル画像を変換する段階と
を備え、
抽出された前記配置をコンピュータプログラムに変換する前に、
撮像された前記デジタル画像と、認識された各マーカの上部に示されるグラフィカルアイコンを重ね合わせる段階と、
組み合わされた前記デジタル画像を出力する段階と
抽出された前記配置をコンピュータプログラムに変換することを続行するための確認を受け入れる段階と
を含む、
方法。
【請求項９】
前記長方形の対比マーカは、正方形の形を有する、
請求項８に記載の方法。
【請求項１０】
前記長方形の対比マーカは、前記情報の物理的伝達部の中央からずれている、
請求項８または９に記載の方法。
【手続補正書】
【提出日】令和2年6月17日(2020.6.17)
【手続補正１】
【補正対象書類名】特許請求の範囲
【補正対象項目名】全文
【補正方法】変更
【補正の内容】
【特許請求の範囲】
【請求項１】
光を発するための照明アセンブリであって、前記照明アセンブリは、
可撓性基板を含み、発光要素と、前記可撓性基板上の前記発光要素に電力を供給するための電力接続部とを含む、細長い構造体であって、前記発光要素は前記細長い構造体の長手方向に配置されている、細長い構造体と、
第１の面と反対側の第２の面とを備えるベースプレートを備える熱伝達要素であって、前記熱伝達要素は、前記第１の面にヒートシンクインタフェース又はヒートシンク要素を備え、前記第２の面に、前記第２の面から離れるように延在する１つ以上の直立壁を備え、前記第２の面は前記第１の面の反対側であり、前記１つ以上の直立壁は熱伝導性材料を含み前記第１の面に熱的に結合されている、熱伝達要素と、を備え、
前記細長い構造体は、前記１つ以上の直立壁のうちの少なくとも１つの壁表面上に配置され、前記壁表面は、前記第２の面に隣接する、前記１つ以上の直立壁の表面のうちの１つであり、前記発光要素によって光が発せられない、前記細長い構造体の表面は、前記壁表面に熱的に結合しており、前記細長い構造体によって形成されるパターンは、蛇行パターン又は螺旋状パターンであり、前記パターンは前記第２の面に平行な横断面内に画定されており、前記蛇行パターンは少なくとも３回の方向転換を含み、前記螺旋状パターンは複数回の巻きを含み、
前記１つ以上の直立壁の少なくとも一部の間のスペースがチャネルを形成し、前記発光要素は前記発光要素の光の少なくとも一部を前記チャネルの中に発するように配置されている、照明アセンブリ。
【請求項２】
前記発光要素の少なくとも７５％が、前記発光要素の光の一部を前記チャネルの対向壁の第２の表面に向かって発し、前記チャネルの前記対向壁は、前記１つ以上の直立壁の一部であり、前記対向壁は、第２の面に隣接する２つの表面を有し、一方は前記壁表面であり、他方は前記第２の表面である、請求項１に記載の照明アセンブリ。
【請求項３】
前記発光要素によって照射される前記１つ以上のチャネルの位置の少なくとも一部において、前記チャネル内に、光アウトカップリング要素が設けられる又は反射材料が設けられる、請求項１又は２の何れか一項に記載の照明アセンブリ。
【請求項４】
前記発光要素は光放射を発し、前記発光要素は前記光放射の中心軸が前記第２の面に実質的に平行となるように配置されている、請求項１乃至３の何れか一項に記載の照明アセンブリ。
【請求項５】
前記１つ以上の直立壁の少なくとも一部の間のスペースが１つ以上のチャネルを形成し、前記チャネルは前記第２の面の向かい側において、前記１つ以上のチャネルの反対側を封止する光透過性材料で覆われ、前記１つ以上のチャネルには冷却材入口及び冷却材出口が設けられており、前記細長い構造体の前記発光要素を冷却するために冷却材が前記１つ以上のチャネルを通って流れることを可能にしている、請求項１乃至４の何れか一項に記載の照明アセンブリ。
【請求項６】
前記１つ以上の直立壁の一部によって形成される壁パターンは蛇行パターン又は螺旋状パターンであり、前記壁パターンは前記第２の面に平行な横断面内に画定されている、請求項１乃至５の何れか一項に記載の照明アセンブリ。
【請求項７】
前記１つ以上の直立壁の第１の部分は、前記１つ以上の直立壁の第２の部分から熱的に絶縁され、一方、前記第１の部分の前記１つ以上の直立壁と前記第２の部分の前記１つ以上の直立壁とは前記第１の面に熱的に結合されている、請求項１乃至６の何れか一項に記載の照明アセンブリ。
【請求項８】
前記熱伝達要素は、前記第１の面に冷却フィンを備える、請求項１乃至７の何れか一項に記載の照明アセンブリ。
【請求項９】
前記細長い構造体はＬＥＤストリップである、請求項１乃至８の何れか一項に記載の照明アセンブリ。
【請求項１０】
前記発光要素は固体発光体である、請求項１乃至９の何れか一項に記載の照明アセンブリ。
【請求項１１】
前記壁表面と前記第２の面との間の角度は、８５°〜９５°であり、オプションとして８８°〜９２°であり、オプションとして実質的に９０°に等しい、請求項１乃至１０の何れか一項に記載の照明アセンブリ。
【請求項１２】
請求項１乃至１１の何れか一項に記載の照明アセンブリを備える、光源。
【請求項１３】
請求項１乃至１１の何れか一項に記載の照明アセンブリを備える、又は請求項１２に記載の光源を備える、ランプ。
【請求項１４】
請求項１乃至１１の何れか一項に記載の照明アセンブリを備える、又は請求項１２に記載の光源を備える、又は請求項１３に記載のランプを備える、照明器具。
【手続補正書】
【提出日】令和2年6月5日(2020.6.5)
【手続補正１】
【補正対象書類名】特許請求の範囲
【補正対象項目名】全文
【補正方法】変更
【補正の内容】
【特許請求の範囲】
【請求項１】
ストレージプールを管理するための方法であって、
ストレージデバイスに向けられた１つ以上の入力／出力（入出力）要求を含んだキューを保持するステップを含み、各入出力要求は、その入出力要求がストレージ管理システムで受信された順を示す順序値を含み、前記方法は、さらに、
前記キューに含まれる第１の入出力要求に関連付けられた第１の順序値と前記キューに含まれる第２の入出力要求に関連付けられた第２の順序値との差を算出するステップと、
前記第１の順序値と前記第２の順序値との算出された前記差を閾値と比較するステップと、
前記第１の順序値と前記第２の順序値との算出された前記差が前記閾値以下である場合、前記１つ以上の入出力要求を含んだキューから少なくとも１つの入出力要求を前記ストレージデバイスに送信するステップとを含む、方法。
【請求項２】
前記キューに含まれる前記第１の入出力要求は、前記キューの先頭に位置し、前記第２の入出力要求は、前記キューの末尾に位置する、請求項１に記載の方法。
【請求項３】
前記ストレージデバイスに対する新しい入出力要求を受信するステップと、
前記ストレージデバイスに対する新しい入出力要求に新しい順序値を関連付けるステップと、
前記新しい入出力要求と前記新しい順序値とを前記キューの末尾に追加するステップとをさらに含む、請求項１または２に記載の方法。
【請求項４】
前記ストレージデバイスから完了指示を受信するステップと、
前記キューから対応する入出力要求を削除するステップとをさらに含む、請求項１から３のいずれか１項に記載の方法。
【請求項５】
前記ストレージデバイスは、前記ストレージ管理システムと通信しているストレージデバイスを含んだプールの一部である、請求項１から４のいずれか１項に記載の方法。
【請求項６】
前記ストレージデバイスを含んだプールに含まれる第２のストレージデバイスに向けられた１つ以上の入力／出力（入出力）要求を含む第２キューを保持するステップをさらに含み、前記第２キューが含む前記入出力要求の各々は、前記第２のストレージデバイスに対する前記入出力要求が前記ストレージ管理システムで受信された順を示す順序値を含む、請求項５に記載の方法。
【請求項７】
前記キューから前記少なくとも１つの入出力要求を送信するステップは、前記少なくとも１つの入出力要求を処理するための容量の指示を前記ストレージデバイスから受信した際に発生する、請求項１から６のいずれか１項に記載の方法。
【請求項８】
前記閾値は、少なくとも、前記ストレージデバイスからの同時の入出力要求について判断された容量値に基づく、請求項１から７のいずれか１項に記載の方法。
【請求項９】
前記閾値は、前記ストレージデバイスからの同時の入出力要求について判断された容量値に係数を乗算したものに等しい、請求項８に記載の方法。
【請求項１０】
前記ストレージ管理システムは、大規模ストレージアプライアンス用のファイルシステムを含む、請求項１から９のいずれか１項に記載の方法。
【請求項１１】
マシン上のコンピュータに請求項１から１０のいずれか１項に記載の方法を実行させるためのコンピュータによって実行可能な命令を有したコンピュータ読み取り可能なプログラム。
【請求項１２】
請求項１１に記載のプログラムを格納したメモリと、
前記メモリに接続され、前記プログラムを実行するためのプロセッサとを備える、システム。